(57)【特許請求の範囲】
【請求項１】
シャッターケースに形成されシャッターカーテンが出入りするスリットに配置され、該スリットに対し前記シャッターケース内にて前記シャッターカーテンの少なくとも一方の面を案内するシャッターカーテンのガイド構造であって、
前記スリットの端部に位置し、前記シャッターカーテンの縁部を支持して該シャッターカーテンの開閉動作を案内する略コ字状で奥拡がりな略蟻溝形状のガイドレールの上端部に連結され、
前記スリットの縁部近傍から前記シャッターケースの内方に向けて延出するとともに、前記スリット幅長に対して略漏斗状に拡開する湾曲凸面形状のガイド部を有するガイド部材を備え、
前記ガイド部材のガイド部は、前記ガイドレールの内奥部から離間して配設されるとともに、前記ガイドレールの開口溝縁の内外方向に略連続して配設され、
前記ガイドレールの左右の片の開口溝縁の上端縁には略Ｖ字形傾斜状のカット部が形成され、前記ガイド部材のガイド部の下部には、前記カット部に嵌合する下向き略くさび形状の垂下部が形成されていることを特徴とするシャッターカーテンのガイド構造。
【請求項２】
前記ガイド部には、その曲面方向に沿って少なくとも１つの凸条が形成されていることを特徴とする請求項１記載のシャッターカーテンのガイド構造。
【請求項３】
前記凸条は、互いに平行となって形成される複数で構成され、突出高さが前記ガイドレールの内奥部側では高く、溝開口側で低くなっていることを特徴とする請求項２記載のシャッターカーテンのガイド構造。
【請求項４】
前記ガイド部を有する前記ガイド部材には、前記シャッターケースのスリット縁部に沿い、前記ガイドレールの外側部につき当てられるとともに、シャッターケースの表面に固定される取付板を備え、前記ガイドレールの内奥部と前記垂下部が形成されたガイド部との間には、ガイド部が存在しない空間部分が形成されていることを特徴とする請求項１，２，３のいずれか１つに記載のシャッターカーテンのガイド構造。
【発明の詳細な説明】
【技術分野】
【０００１】
本発明は、例えばガイドレール上端に位置してシャッターケース内に配設されて、シャッターカーテンの開閉動作時におけるガイドレールとシャッターケース内との案内を行うシャッターカーテンのガイド構造に関するものである。
【背景技術】
【０００２】
一般に、昇降することで開閉となるシャッターカーテンの左右側縁部をガイドするガイドレールには、下記特許文献における図の一部に示すように、そのガイドレール上端に上部側に向けて漏斗状に広がるガイド部材が一体に形成され設けられており、シャッターケースに対してシャッターカーテンを巻き取り，繰り出す際のケース内でのシャッターの径変化による移動方向の変化を案内して、巻き取り，繰り出しの不良状態を防止し、常時整列状態に巻き取り、及び繰り出しが行えるようにしており、ガイド部材は図示のごとくシャッターケース内に配置される。
【０００３】
しかしながら、上記のような構造のガイド部材では、シャッターケースのガイドレール設置側である底面に形成されるシャッターカーテンの出入口部分であるスリットに対して、シャッターケース内で拡開された形状であることから、シャッターケースの底面及びスリットを構築する以前にガイドレールを配置する施工手順となり、すなわち、ガイドレールを組み付ける際には、スリットが先に構築さてしまうとガイド部材は装着が不可能となる。また、シャッター装置として不具合が発生し、修理・交換などの作業を行う場合に、ガイドレールのみ交換という施工が行えず、このような施工時に制約を受けることがある。
【０００４】
また、シャッターカーテンを側方に連ねて配設した所謂連装シャッターの場合において、シャッターカーテンを案内支持するガイドレールは、シャッターカーテンの解放時に、隣り合うシャッターカーテンの側縁部を支持する中間のガイドレールを取り外すように構成されており、前記漏斗形状のガイド部材が一体であるとシャッターケースから抜き取ることができず、このガイド部材とガイドレールとが別体であることが求められる。
【０００５】
そこで、本出願人は先に図８（ａ），（ｂ）に示す構造のガイド部材１０１を開発した。ガイド部材１０１は、図示しないシャッターケースの下部に開口されたスリットの両側にあってシャッターケースの底面にフランジ結合する底板１０２と、各底板１０２から一体に立ち上げられ、かつガイドレール１０３の上端両側に嵌合する当接用凹部１０４と、凹部１０４の上部からシャッターケースの内側に互いに漏斗状に対向するように曲面状に加工されたガイド部１０５とから構成されており、ガイドレール１０３の頂部を凹部１０４にはめ込むことにより、ガイドレール１０３を真直な状態で形成し、シャッターケース側に対して脱着可能に位置決めできるようにしている。
【０００６】
ところで、最近のシャッター装置では、シャッターカーテン閉鎖時における高さ方向中間部に施錠装置を配置し、施錠，解錠操作に応じて施錠機構をシャッターカーテンの幅方向に移動させ、施錠状態では、シャッターカーテンの両側端部に施錠機構の先端に設けた鉤型に突出する略熊手状の係止爪をガイドレール内に設けた係合片に係合させることで施錠とするものがある。
【０００７】
図９（ａ），（ｂ）には、以上の施錠機構１０６を設けたシャッターカーテンの一構成部材であるスラット１０７を示している。図において、スラット１０７の幅方向中央部には前記施錠機構１０６に連繋する施錠装置１０８及びその屋内側には図示しないサムターンが配置され、また屋外側には合鍵を使い、この施錠装置１０８の回動操作により前記施錠機構１０６の先端に設けた鉤型に突出する略熊手状の係止爪１０６ａを出没させてガイドレール１０３の溝底部となる内奥部に設けた図示しない係合部に係止されて施錠される。
【０００８】
またこの施錠機構では、スプリングの反転付勢力を利用しており、シャッターカーテンの閉鎖状態で施錠する際には、合鍵またはサムターンを完全に施錠方向に回すことにより、スプリングは、係止爪を突出側に付勢し、以後はスプリングの付勢力によって、施錠位置に付勢されたままとなる。その逆に合鍵またはサムターンを解錠方向に回すと、係止爪は没入し、スプリングの付勢方向が変化し、係止爪１０６ａが解錠方向に反転付勢され、以後その状態に保持される。
【特許文献１】特開平１０−１４８０６０号公報（図５）
【発明の開示】
【発明が解決しようとする課題】
【０００９】
しかしながら、シャッターカーテン閉鎖時における施錠状態からの解錠操作時において、スプリングが完全に付勢方向が反転しない状態でも、係止爪１０６ａがガイドレール内の係合部との係止を解除されることから、解錠時の操作は、合鍵またはサムターンを完全に解錠方向に回すことがなくても解錠できたと判断してしまう場合がある。
【００１０】
このような係止爪の没入が不完全な状態でシャッターカーテンを開放操作させてしまうと、上昇移動に伴う振動などでスプリングの付勢方向が係止爪１０６ａの施錠方向に変位する場合があり、係合部を通過した後に係止爪１０６ａがガイドレール内で突出し、係止爪先端が、ガイドレールの底面に接触し、金属同士の擦れ合う異音を発生したり、齧り込み等が発生して故障の原因となる。ところが、係止爪の没入が不完全なまま、シャッターカーテンが上昇し、収納部へと移動となると、係止爪１０６ａの先端が図８（ｂ）の円内に示すように、ガイド部材１０１のガイド部１０５に衝突し、係止爪を損傷させたり、或いはガイド部材を損傷させるおそれがあり、またこのような不具合が生じた場合に、シャッターカーテン上昇時ではガイド部材の位置で係止爪が引っ掛かると格納が不能となるため、合鍵やサムターンを再度操作して完全に解錠位置にしてから再度シャッター開放操作を行わなければならなかった。
【００１１】
そこで本発明は、上記問題点を解消するために、組立施工を容易にするとともに、特に施錠装置を設けたシャッターカーテンにおいて、ガイド部材と突出したままとなった場合の係止爪との干渉を防止し、シャッターカーテン開閉操作時における囓り込みや損傷などを未然に防止できるようにしたシャッターカーテンのガイド構造を提供することを目的としている。
【課題を解決するための手段】
【００１２】
次に、上記の課題を解決するための手段を、実施の形態に対応する図面を参照して説明する。
この発明の請求項１記載のシャッターカーテンのガイド構造は、シャッターケース１に形成されシャッターカーテン３が出入りするスリット１ｂに配置され、該スリット１ｂに対し前記シャッターケース１内にて前記シャッターカーテン３の少なくとも一方の面を案内するシャッターカーテンのガイド構造であって、
前記スリット１ｂの端部に位置し、前記シャッターカーテン３の縁部を支持して該シャッターカーテン３の開閉動作を案内する略コ字状で奥拡がりな略蟻溝形状のガイドレール４の上端部に連結され、
前記スリット１ｂの縁部近傍から前記シャッターケース１の内方に向けて延出するとともに、前記スリット幅長に対して略漏斗状に拡開する湾曲凸面形状のガイド部９を有するガイド部材５を備え、
前記ガイド部材５のガイド部９は、前記ガイドレール４の内奥部４ｂから離間して配設されるとともに、前記ガイドレール４の開口溝縁４ｄの内外方向に略連続して配設されていることを特徴とする。
さらに、前記ガイドレール４の左右の片の開口溝縁の上端縁には略Ｖ字形傾斜状のカット部４ａが形成され、前記ガイド部材５のガイド部９の下部には、前記カット部４ａに嵌合する下向き略くさび形状の垂下部８ａが形成されていることを特徴とする。
【００１３】
請求項２記載のシャッターカーテンのガイド構造は、前記ガイド部９には、その曲面方向に沿って少なくとも１つの凸条９ａ（９ｂ）が形成されていることを特徴とする。
【００１４】
請求項３記載のシャッターカーテンのガイド構造は、前記凸条は、互いに平行となって形成される複数で構成され、突出高さが前記ガイドレール４の内奥部４ｂ側では高く、溝開口側で低くなっていることを特徴とする。
【００１５】
請求項４記載のシャッターカーテンのガイド構造は、前記ガイド部９を有する前記ガイ４部材５には、前記シャッターケース１のスリット縁部に沿い、前記ガイドレール４の外側部につき当てられるとともに、シャッターケース１の表面に固定される取付板７を備え、前記ガイドレール４の内奥部と前記垂下部８ａが形成されたガイド部９との間には、ガイド部９が存在しない空間部分が形成されていることを特徴とする。
【発明の効果】
【００１６】
請求項１記載のシャッターカーテンのガイド構造によれば、解錠操作時に、係止爪が没入状態にならず、ガイドレールの溝底である内奥部側に突出した状態で、シャッターカーテンの開放操作となっても、ガイドレールの一端からシャッターケースへ移動される際に、この係止爪と干渉する部分がなく、異音の発生や、損傷等の問題を未然に回避できる。これにより、シャッターカーテンの開閉操作時における故障などの発生を防ぐことが可能となる。また、ガイドレールのカット部とガイド部の垂下部との嵌め込み構造により、ガイドレールとガイド部との位置決め組付け作業が容易で確実となり、シャッターカーテンの昇降作動時における移動もスムーズなものとなる。
【００１７】
請求項２記載のシャッターカーテンのガイド構造によれば、凸条が形成されていることにより、シャッターカーテンのガイド部に対する通過時における接触摩擦を低減させることができる。また、この凸条により、ガイド部が、単純な面形状ではなくなり、剛性が向上することとなる。これにより、ガイド部の変形などが防止される。
【００１８】
請求項３記載のシャッターカーテンのガイド構造によれば、シャッターカーテンに対して、ガイドレールの内奥部側の凸条が通常の開閉動作時に接触することとなり、溝開口側は、シャッターカーテンが風などで撓んだ際に接触することとなる。そして、通常時に接触する側であるガイドレール内奥部側の凸条が、シャッターカーテンの外観としてガイドレール内であることから、摩耗や接触傷などが、通常見えない部分とされることとなり、このシャッターカーテンの外観を損ねることが軽減される。
【００１９】
請求項４のシャッターカーテンのガイド構造によれば、シャッターカーテンが全て収納される開放状態において、このシャッターカーテンの繰り出し端である例えば最下端に設けられる水切板が、シャッターケースのスリット部分における縁部分に直接接触してしまうことなく、取付板部に当接することとなり、シャッターケースの板部分表面を汚損したり損傷させることがなくなる。すなわちこの取付板が、戸当りとして構成され、この位置でのシャッターケースの補強となる。
【発明を実施するための最良の形態】
【００２０】
以下本発明の実施の形態を添付図面を参照して説明する。なお、本実施の形態では、シャッターカーテンが上下に昇降することで開閉となる構成のシャッター装置において説明する。図１は本発明に係るシャッター装置の全体的構成を示す概略側面図、図２はガイド部材単体を示す平面図、図３は同背面図、図４は同側面図、図５は図３におけるＡ−Ａ剪断面図、図６（ａ），（ｂ）はガイド部材とガイドレール及び施錠装置との関係を示す側断面図及び平断面図、図７（ａ），（ｂ）は同ガイド部材とガイドレールとの取付関係を示す概略斜視図である。
【００２１】
図１において、矩形状断面をしたシャッターケース１のガイドレール設置側となる底部１ａにはスリット１ｂが開口形成され、シャッターケース１内の略中心位置に配置された巻取軸２の外周に巻き取りられたシャッターカーテン３をスリット１ｂを通じて略垂直に下降、上昇可能に配置し、例えば建物内外をシャッターカーテン３により仕切るようにしている。
【００２２】
シャッターケース１の間口幅方向の端縁下部には建物躯体などに鉛直配設された、断面略コ字状で、奥拡がりな略蟻溝状をしたガイドレール４のシャッターケース１側先端となる一端としての上端が脱着可能に嵌合され、その上部に連続してシャッターケース１の底面に対向して固定され、かつ上部が漏斗状に拡開する一対のガイド部材５が設けられている。
【００２３】
またシャッターカーテン３の繰り出し端である最下端には断面略逆Ｔ字形の水切板６が連結されており、この水切板６は、巻取軸２に巻き取られるシャッターカーテン３が最小径Ｍｍｉｎとなる最大繰り出し位置で接地面に接地してシャッターカーテン３を完全閉鎖して屋内外を区画し、巻取径が最大Ｍｍａｘとなる巻取完了状態で、シャッターカーテン３を全開し、水切板６がシャッターケース１の底部１ａに当接し、そのスリット１ｂを閉じるようになっている。
【００２４】
ガイド部材５は、所定板厚の金属板よりなるプレス成形体であって、図２〜図５に示すように、シャッターケース１のスリット１ｂ両縁部に沿って固定され、ガイドレール４の両側部につき当てられる取付板としての戸当り板７と、各戸当り板７の上部前縁７ａに立上げ形成されて、ガイドレール４の前部側である溝開口４ｃ側部に嵌合される凹部８と、凹部８の上部に対となることで互いに漏斗状に拡開する湾曲凸面形状に形成されたガイド部９と、戸当り板７の後部前縁７ｂに垂直に立ち上げられた垂直ガイド板１０とからなっており、ガイドレール４の内奥部４ｂ側相当位置には、図２に示すように（平面視において）凹部８及びガイド部９ともに切除されたような空間部分を有した形状となり、戸当り板７及び垂直ガイド板１０がガイドレール４の外側に配置されているものとなる。ここで、このガイド部材５は、上記したように一対で構成されており、シャッターカーテン３の両面に対応するように各部７，８，９，１０が形成され、すなわち対称形状とされることが好ましい。
【００２５】
ガイドレール４の溝開口４ｃの上端縁には溝開口４ｃが拡幅するような略Ｖ字形のカット部４ａが形成されている。また、カット部４ａに対応して凹部８の後端側には、カット部４ａに連続するように下向きに先端となる略くさび形状の垂下部８ａが形成されている。この垂下部８ａは、シャッターカーテン３の昇降動作時に、ガイドレール４側とガイド部材５のガイド部９側との双方向のスムースな移行を可能としている。
【００２６】
ガイド部９の湾曲凸面となるガイド面には、凸条が形成されており、本実施の形態では図２に示すように、互いに平行となる２つで構成され、後端側に所定の突出量ｄ１の凸条９ａが形成され、先端側にこれより小さな突出量ｄ２の凸条９ｂが形成されている。また、ガイド面に連続するように、凸条９ｂを稜線とした先端側に、折曲形成された補強リブ９ｃが形成されている。
【００２７】
凸条９ａ，９ｂはガイド部９を通過する際のシャッターカーテン３に対する摺接面積を小さくし、摺動抵抗を減ずるとともに、接触音など異音の発生を防止する。また、これら凸条９ａ，９ｂは、ガイド部９の形状を平滑にせず、略波板状に形成することで、このガイド部９を補強するものであり、かつ折曲形成した補強リブ９ｃによってもガイド部９全体の剛性強化を図っている。なお、ガイドレール４の内奥部側に位置することとなる凸条９ａは、図５に示すように、前述した垂下部８ａと連続形成される。
【００２８】
また、戸当り板７には、板面の略中央部分に、上方向へ切り起しにより係止爪７ｃが形成されている。この係止爪７ｃは、シャッターカーテン３が出入りするスリット１ｂを形成するまぐさを設置するための位置決め爪とされる。なお、この係止爪７ｃは、シャッターケース１の底部１ａにかしめることで、このガイド部材５が、シャッターケース１の底部１ａ表面に固定されるように構成してもよい。
【００２９】
図６はガイド部材５とガイドレール４及び施錠機構との関係を示した側面図と平面図である。シャッターカーテン３を構成する複数のスラット３ａのうち、閉鎖状態での高さ方向で床面からの所定距離位置に、そのスラット３ａの左右幅方向中央に施錠装置（図示せず）が配設される。施錠装置は、スラット３ａの室内側となる裏側に配置され、室外側には鍵穴が表出し、施錠装置の施錠・解錠操作に応じて連動する施錠機構２０が、スラット３ａの長手方向に沿って配設される。施錠機構２０の先端は、スラット３ａの端部に位置し、鉤型に突出する例えば略熊手形の係止爪２０ａを備えている。
【００３０】
このような構成により、施錠状態から合鍵やサムターンを用いて解錠操作を行った際に、施錠機構２０が完全に解錠状態とならずに、図６（ｂ）に示すように、係止爪２０ａがスプリングの反転付勢力により引っ込まずに突出した状態のまま、シャッターカーテン３が開放動作となると、係止爪２０ａは、ガイドレール４の内奥部４ｂに位置したままであるが、この内奥部４ｂにはガイド部９が配置されず、このガイド部９が内奥部４ｂから離間した位置とされており、シャッターカーテン３をシャッターケース１内に巻き込む際に干渉することがなく、これに伴う異音の発生、衝突、損傷等、巻き込み不良などの故障等の原因を未然に防止している。また、シャッターカーテン３の昇降時に、ガイドレール４の溝開口４ｃの縁部分である溝縁４ｄと、ガイド部材５の垂下部８ａ及び凸部９ａにより、図６（ａ）に示すように、シャッターカーテン３との接触可能部分が略連続し、シャッターカーテン３の昇降移動をスムースなものとする。
【００３１】
図７は以上説明したガイド部材５とガイドレール４との概略斜視図を示している。
図７（ａ）に示すように、対となる両ガイド部材５がシャッターケース１の底部１ａにおけるスリット１ｂの端部に対向して予め固定されている状態を示し、この状態から図７（ｂ）に示すように、ガイドレール４の上端部を両ガイド部材５間に嵌め込むように下方から装着することで、ガイドレール４が両ガイド部材５を介してシャッターケース１に位置決め固定できることになる。
なお、この際、図１に示すように、ガイドレール４の上端は、ガイド部材５に対して嵌め込まれることとなり、この上端には適宜突出代として所定の長さを必要とする。
【００３２】
このような構成により、ガイドレール４の組み付けが容易にできることから施工性を大幅に改善でき、また、ガイドレール４のみを取り外すなども容易なものとなり、シャッター装置としての組立・解体時の段取状の制約をなくし、施工性を大幅に向上することが可能となる。
【００３３】
なお、上述した実施の形態では、本発明のガイド部材５をシャッターカーテン３の左右側端に位置する各ガイドレール４に対して実施した場合を示したが、例えば連装型シャッターに配置される中間のガイドレールとの組合せにも適用できることは勿論であり、上記同様の構成で、シャッターケース１内に設けることで同様の効果を得られるものである。特に、このような連装型シャッターの場合では、中間のガイドレールと組み合わされるガイド部材を、対称形状のガイド部材５同士がシャッターの幅方向に連接して一体となった構造としてもよい。
【００３４】
また、上述した実施の形態では、シャッターケース１のスリット１ｂに対して、その端部において対となるようにガイド部材５をそれぞれ配置した構成例について示したが、少なくとも、シャッターカーテン３がシャッターケース１内での収納される方向に近い側に片側構成で配置される構成とすれば良く、或いは、施錠機構２０の係止爪２０ａ先端が突出する方向に対応した位置に配置されることとすれば良く、すなわち、一対で構成しなくとも良い。
【００３５】
さらに、上述した実施の形態では、シャッターカーテン３の開閉方向を上下方向とし、昇降することによって開閉とされる例について述べたが、このシャッターカーテン３の開閉方向は、上下方向に限定することなく、その他の方向、例えば左右横方向や、斜め方向、上昇を閉鎖とし下降を開放とするような構成のシャッター装置に適用しても良い。
また、上述した実施の形態では、シャッターカーテン３の構成として、複数のスラット３ａよりなる例について述べたが、シャッターカーテンとして、上記の複数のスラット３ａを連接して構成されるもの以外に、複数のパイプ状部材を連接してなる構成や、単数又は複数のパネル、シート状物、スクリーン状物よりなる構成、網状、などで構成されるもとしてもよく、或いは、これらを組み合わせて構成されるものとしても良い。
【図面の簡単な説明】
【００３６】
【図１】本発明に係るシャッター装置の全体的構成を示す説明図である。
【図２】ガイド部材単体を示す平面図である。
【図３】同背面図である。
【図４】同側面図である。
【図５】図３におけるＡ−Ａ線断面図である。
【図６】（ａ），（ｂ）はガイド部材とガイドレール及び施錠装置との関係を示す側断面図及び平断面図である。
【図７】（ａ），（ｂ）は同ガイド部材と、ガイドレールとの取付関係を示す簡略斜視図である。
【図８】（ａ），（ｂ）は先に本出願人が開発したガイド部材とガイドレール及び施錠装置との関係を示す側断面図及び平断面図である。
【図９】（ａ），（ｂ）はスラットに設けた側部突出型施錠装置の中央断面図及び端面における平断面図である。
【符号の説明】
【００３７】
１…シャッターケース
１ｂ…スリット
３…シャッターカーテン
３ａ…スラット
４…ガイドレール
４ｂ…内奥部
７…取付板
８…凹部
９…ガイド部
９ａ，９ｂ…凸条
２０…施錠機構
２０ａ…係止爪
【図１】
0004668715.tif 000002
【図２】
0004668715.tif 000003
【図３】
0004668715.tif 000004
【図４】
0004668715.tif 000005
【図５】
0004668715.tif 000006
【図６】
0004668715.tif 000007
【図７】
0004668715.tif 000008
【図８】
0004668715.tif 000009
【図９】
0004668715.tif 000010